(57)【特許請求の範囲】
【請求項１】
シートが積載される積載部と、
該積載部に積載されたシートを給紙する給紙手段と、
前記積載部に積載されたシートの有無を検知するシート検知手段と、
前記給紙手段によるシートの給紙時における該シートの跳ね上がりを検知する異常検知手段と、を備え、
前記異常検知手段は、前記積載部に積載されるシートのシート幅方向の一側よりも外側の位置に設けられる異常検知用発光部と、前記シート幅方向の他側よりも外側の位置に設けられ、前記発光部が照射した光を受光する異常検知用受光部と、を有し、
前記シート検知手段は、前記異常検知用発光部から照射された光を反射及び屈折により前記積載部の積載面を通過する方向に導くための導光体からなる光路変更部材と、前記積載面を通過した光を受光するシート検知用受光部と、を有することを特徴とするシート給送装置。
【請求項２】
シートが積載される積載部と、
該積載部に積載されたシートを給紙する給紙手段と、
前記積載部に積載されたシートの有無を検知するシート検知手段と、
前記給紙手段によるシートの給紙時における該シートの跳ね上がりを検知する異常検知手段と、を備え、
前記異常検知手段は、前記積載部に積載されるシートのシート幅方向の一側よりも外側の位置に設けられる異常検知用発光部と、前記シート幅方向の他側よりも外側の位置に設けられ、前記発光部が照射した光を受光する異常検知用受光部と、を有し、
前記シート検知手段は、前記積載部の積載面を通過する方向に光を照射するシート検知用発光部と、前記積載面を通過した光を反射及び屈折により前記異常検知用受光部に導くための導光体からなる光路変更部材と、を有することを特徴とするシート給送装置。
【請求項３】
前記積載部を、待機位置と該待機位置の上方の給紙開始位置との間で昇降させる移動手段をさらに備え、
前記異常検知手段は、前記積載部が前記待機位置から前記給紙開始位置に向けて上昇する際に、該積載部の異物を検知することを特徴とする請求項１又は２に記載のシート給送装置。
【請求項４】
前記異常検知手段が、前記積載部の上昇動作時に前記積載部の異物を検知した場合に、前記移動手段は、前記積載部の上昇を停止することを特徴とする請求項３に記載のシート給送装置。
【請求項５】
前記積載部の上昇動作が停止した後に、所定時間以内に異物が取り除かれたかどうかを判断する判断手段を備え、
該判断手段により所定時間以内に異物が取り除かれたと判断された場合、前記移動手段は、前記積載部を前記給紙開始位置まで上昇させることを特徴とする請求項４に記載のシート給送装置。
【請求項６】
前記判断手段により所定時間以内に異物が取り除かれていないと判断された場合、前記移動手段は、前記積載部を所定の位置まで下降させることを特徴とする請求項５に記載のシート給送装置。
【請求項７】
前記所定の位置は、上昇前の前記積載部の待機位置であることを特徴とする請求項６に記載のシート給送装置。
【請求項８】
前記シート検知用受光部は、前記積載部の下部に配置されていることを特徴とする請求項１に記載のシート給送装置。
【請求項９】
前記シート検知用発光部は、前記積載部の下部に配置されていることを特徴とする請求項２に記載のシート給送装置。
【請求項１０】
請求項１〜９のいずれか一項に記載のシート給送装置を備えたことを特徴とする画像読取装置。
【請求項１１】
請求項１〜９のいずれか一項に記載のシート給送装置を備えたことを特徴とする画像形成装置。
【発明の詳細な説明】
【技術分野】
【０００１】
本発明は、例えば、複写機、ファクシミリおよびプリンタなどの画像形成装置やスキャナなどの画像読取装置に用いられるシート給送装置に関する。
【背景技術】
【０００２】
従来のこの種のシート給送装置は、積載部に積載されたシートをピックアップローラによってピックアップし、給送ローラ及び該給送ローラに圧接する分離ローラによってシートを一枚ずつ分離して搬送路に給送する。ここでは、ピックアップローラと給送ローラ、分離ローラを合わせて給紙手段と称する。
【０００３】
分離ローラは、シートを積載部側に戻す方向に搬送する回転力をクラッチを介して常時受けている。そして、分離ローラは、シートが一枚のときはシートの搬送力を受けてクラッチによって給送ローラに追従回転するが、シートが複数枚のときはシートを積載部側に戻す方向に回転してシートの重送を回避する。
【０００４】
ところで、上記シート給送装置は、積載部にステイプラ、クリップ、糊付け等によって束状に綴じられたシートが誤って積載された場合においても、このシート束のシートを一枚ずつ分離して搬送路に給送しようとする。
【０００５】
この場合、シート束の内、給送ローラによって給送される最上位のシートが綴じられた部分を中心にめくれ上がるように回転して皺になったり、破れたり、或いはシート束全体が回転して歪んだ形状になったりすることがある。
【０００６】
このようなシートの撥ね上がりを検知し、シートの破損を未然に防止する技術として、積載部のシート幅方向の一側に光を照射する発光素子を配置し、シート幅方向の他側に発光素子の照射光を受光する受光素子を配置したシート給送装置が提案されている。この提案では、シートの撥ね上がりにより発光素子から受光素子までの光路を遮光することにより、シートの撥ね上がりを検知する（特許文献１）。
【０００７】
また、シート給送装置は、積載部にシートが積載されていないか又は給紙時にピックアップローラに接しない位置にシートが積載されている状態でピックアップローラを駆動させると、ピックアップローラが積載部と擦れ、ローラ表面が摩耗して搬送力が低下する。
【０００８】
また、ピックアップローラが積載部と擦れて摩耗することで発生したゴミが装置内に入り込むと装置内の各部材に付着し、搬送不良を引き起こしたり、画像読取装置や画像形成装置においては、画像読取不良や画像印字不良が発生したりする。更に、ピックアップローラと積載部が擦れて騒音が発生することもある。
【０００９】
従って、上記の不具合の発生を防ぐため、また、シートを積載部に積載すると自動で給紙を開始する機能を設けるためにも、積載部にシートが積載されているか否かをピックアップローラ近傍で検知する必要がある。
【００１０】
図９は、機械式レバーを用いてフォトセンサを遮光することにより積載部上のシートを検知する従来のシート検知手段を示す断面図である（特許文献２）。
【００１１】
このシート検知手段は、図９（ａ）に示すように、積載部のピックアップローラ近傍にレバー３０１が配置され、搬送路３００を通過するシートＦ１の先端３１０でレバー３０１が押されると、レバー３０１が回転する。そして、回転するレバー３０１が、該レバー３０１の近傍に配置されたフォトインタラプタ３０２を遮光することによってシートを検知する。
【００１２】
図１０は、発光素子と受光素子とが一体となった反射型光学検知素子を用いて積載部上のシートを検知する従来のシート検知手段を示す断面図である。
【００１３】
このシート検知手段は、図１０（ａ）に示すように、発光素子３２０ａと受光素子３２０ｂとが一体となった反射型光学検知素子３２０を備えた基板３２１を積載部１の下方に配置している。そして、シートＦ１が積載部１に積載されると、発光素子３２０ａからの光線ＰがシートＦ１により反射して受光素子３２０ｂに入射されることによってシートを検知する。
【特許文献１】特開２００４−１８２４４９号公報
【特許文献２】特開平８−１１９４９３号公報
【発明の開示】
【発明が解決しようとする課題】
【００１４】
しかし、図９（ａ）に示すシート検知手段では、剛性の低い薄い紙を積載部に積載するときに、図９（ｂ）に示すように、シートＦ１の先端３１０がレバー３０１の回転負荷により折れ曲がることがある。また、シートＦ１を積載部に積載したとき、レバー３０１は常にシートＦ１と接触しており、シート搬送時にはシートＦ１と検知レバー３０１とが擦れる。そのため、長期間使用していると検知レバー３０１が摩耗して誤検知してしまう可能性がある。
【００１５】
また、図１０に示すシート検知手段では、一般的にセンサの検知有効距離が短く、有効範囲も狭い。このため、積載部１に積載されたシートＦ１を正確に検知するには、反射型光学検知素子３２０を実装した基板３２１を積載部１のシート積載面の極近傍に配置しなければならず、レイアウト上の制限がある。従って、反射型光学検知素子３２０だけを実装した専用の基板が必要となることが多く、この場合、電気配線も必要となるため、部品数や組立工数が増えてコストアップとなってしまう。
【００１６】
更に、反射型光学検知素子３２０を実装した基板３２１を積載部１のシート積載面の極近傍に配置したとしても、図１０（ｂ）に示すように、シートＦ１が折れ曲がっていると反射型光学検知素子３２０との距離が大きくなり、シートを検知できないこともある。
【００１７】
また、上記従来のシート給送装置１０１では、積載部１上に人間の手やその他の異物を載せたままシート搬送を開始した場合、積載部１の上昇とともに積載部１とピックアップローラとの間、或いは積載されたシートとピックアップローラとの間に異物が挟まる。
【００１８】
そこで、本発明は、シートに非接触の安価なシート検知手段を用いて積載部にシートが積載されているか否かを精度良く検知することができると共に、シート検知手段の電気配線の耐久性を向上させることができるシート給送装置を提供することを目的とする。
【００１９】
また、本発明は、シートの跳ね上がりを検知する異常検知手段を、積載部上の異物を検知するセンサとしても使用し、その検知結果から積載部の昇降動作を制御することで、安全面において信頼性の高いシート給送装置を安価に提供することを目的とする。
【課題を解決するための手段】
【００２０】
上記目的を達成するために、本発明のシート給送装置は、シートが積載される積載部と、該積載部に積載されたシートを給紙する給紙手段と、前記積載部に積載されたシートの有無を検知するシート検知手段と、前記給紙手段によるシートの給紙時における該シートの跳ね上がりを検知する異常検知手段と、を備え、前記異常検知手段は、前記積載部に積載されるシートのシート幅方向の一側よりも外側の位置に設けられる異常検知用発光部と、前記シート幅方向の他側よりも外側の位置に設けられ、前記発光部が照射した光を受光する異常検知用受光部と、を有し、前記シート検知手段は、前記異常検知用発光部から照射された光を反射及び屈折により前記積載部の積載面を通過する方向に導くための導光体からなる光路変更部材と、前記積載面を通過した光を受光するシート検知用受光部と、を有することを特徴とする。
【００２１】
また、本発明のシート給送装置は、シートが積載される積載部と、該積載部に積載されたシートを給紙する給紙手段と、前記積載部に積載されたシートの有無を検知するシート検知手段と、前記給紙手段によるシートの給紙時における該シートの跳ね上がりを検知する異常検知手段と、を備え、前記異常検知手段は、前記積載部に積載されるシートのシート幅方向の一側よりも外側の位置に設けられる異常検知用発光部と、前記シート幅方向の他側よりも外側の位置に設けられ、前記発光部が照射した光を受光する異常検知用受光部と、を有し、前記シート検知手段は、前記積載部の積載面を通過する方向に光を照射するシート検知用発光部と、前記積載面を通過した光を反射及び屈折により前記異常検知用受光部に導くための導光体からなる光路変更部材と、を有することを特徴とする。
【００２２】
さらに、本発明は、ステイプラ等で束になっているシートが給紙されたときに発生するシートの跳ね上がりを検知する前記異常検知手段を、前記積載部上の異物を検知する手段としても使用し、その検知結果により前記積載部の昇降動作を制御する制御部を備えることを特徴とする。
【発明の効果】
【００２３】
本発明によれば、シートに非接触の安価なシート検知手段を用いて積載部にシートが積載されているか否かを精度良く検知することができると共に、シート検知手段の電気配線の耐久性を向上させることができる。
【００２４】
また、本発明によれば、シートの跳ね上がりを検知する異常検知手段を、積載部上の異物を検知するセンサとしても使用し、その検知結果から積載部の昇降動作を制御することで、安全面において信頼性の高いシート給送装置を安価に提供することができる。
【発明を実施するための最良の形態】
【００２５】
以下、本発明の実施形態を図面を参照して説明する。
【００２６】
（第１の実施形態）
図１は本発明の第１の実施形態であるシート給送装置を備える画像読取装置の概略断面図、図２は図１に示す画像読取装置の要部を示す概略断面図である。
【００２７】
図１及び図２に示すように、画像読取装置２００に搭載されたシート給送装置１０１は、複数枚の原稿（シート）が積載される原稿台（積載部）１を備える。原稿台１の幅方向の両側には、原稿台１の積載面に積載された原稿の幅方向の側部を規制する原稿規制板５０が立設されている。
【００２８】
原稿台１は、駆動モータ２により、待機位置と該待機位置の上方の給紙開始位置との間で昇降駆動される。原稿圧接検知センサ３は、給紙動作の開始時に原稿台１が上昇したときに、該原稿台１に積載された原稿がピックアップローラ４へ圧接するのを検知する。ピックアップローラ４は、駆動モータ５によって回転駆動され、原稿台１に積載された原稿を給送ローラ６及び分離ローラ７からなるローラ対４２に送る。
【００２９】
給送ローラ６は、給送モータ８によって原稿を下流側に給送する方向に回転駆動される。分離ローラ７は、原稿を上流側に押し戻す方向に回転する回転力を不図示のトルクリミッタ（スリップクラッチ）を介して分離モータ９から常時受けている。
【００３０】
給送ローラ６と分離ローラ７との間に原稿が一枚存在するときは、トルクリミッタの伝達する分離ローラ７への原稿を上流側に押し戻す方向の回転力の上限値より、給送ローラ６による原稿を下流側に給送する方向への回転力が上回る。従って、分離ローラ７は、給送ローラ６に追従して回転する。
【００３１】
一方、給送ローラ６と分離ローラ７との間に原稿が複数枚存在するときは、分離ローラ７は、原稿を上流側に押し戻す方向に回転して複数枚の原稿のうち最も上にある原稿以外を押し戻し、これにより、原稿が一枚ずつ分離されて給送される。
【００３２】
なお、本実施形態では、給送ローラ６及び分離ローラ７からなる分離給送ローラ対４２を採用しているが、これに代えて、分離ローラと給送ローラのいずれか一方にベルトを用いてもよい。また、分離ローラに代えて分離パッドを用いてもよい。ベルトや分離パッドも給紙手段に含まれる。
【００３３】
搬送モータ１０は、分離給送後の原稿を読取位置から排出位置まで搬送するための各ローラ対を駆動する。また、搬送モータ１０は、原稿の読取に最適な速度や、原稿の解像度等の設定に応じて原稿の搬送速度を変更できるように各ローラ対を駆動する。
【００３４】
ニップ隙間調整モータ１１は、給送ローラ６と分離ローラ７との隙間、或いは分離ローラ７に対して原稿を介して給送ローラ６が圧接する圧接力を調整する。これにより、原稿の厚みに適した隙間、或いは圧接力が調整され、原稿が分離給送される。
【００３５】
読取部４３は、原稿の表面及び裏面の画像を読み取る読取センサ１４及び読取センサ１５を備えており、原稿の読取速度と解像度の設定に基づき走査間隔を変更できるようになっている。排出センサ１６は、原稿が読取部４３を通過して排出積載部４４に排出中であることを検知する。
【００３６】
レジストクラッチ１９は、搬送モータ１０の回転駆動力をレジストローラ１８に伝達／遮断する。レジストローラ対１７，１８の回転を停止しておき、給送される原稿の先端をレジストローラ対１７，１８のニップ部に突き当てて、原稿の斜行を修正することができる。
【００３７】
搬送ローラ対２０，２１、搬送ローラ対２２，２３及び下流側のローラ対は、原稿を排出積載部４４に搬送する。上ガイド板４０及び下ガイド板４１は、分離給送ローラ対４２、レジストローラ対１７，１８、搬送ローラ対２０，２１、搬送ローラ対２２，２３及び下流側のローラ対により搬送される原稿を搬送路に沿って案内する。
【００３８】
原稿台１に積載された原稿束Ｆに対する分離給送動作が終了し、原稿台１に原稿が載置されるのを待機している際には、原稿台１は、下降動作を行い、駆動範囲の最下部に移動すると停止する。そして、原稿が原稿台１に載置され、分離給送動作の開始指示がなされるまで待機する。
【００３９】
給送前センサＳ１は、給送される原稿の先端（下流側端）を検知する。給送後センサＳ２は、給送される原稿の後端（上流側端）を検知する。レジスト前センサＳ３は、レジストローラ対１７，１８の上流側に配設され、搬送される原稿を検知する。レジスト後センサＳ４は、レジストローラ対１７，１８の下流側に配設され、搬送される原稿を検知する。
【００４０】
図３は、原稿異常検知センサＳＳ１、ピックアップローラ４、及び原稿台１に積載される原稿束Ｆの位置関係を示す斜視図である。
【００４１】
原稿異常検知センサ（異常検知手段）ＳＳ１は、図３に示すように、発光部（異常検知用発光部）ＳＳ１−ａ及び受光部（異常検知用受光部）ＳＳ１−ｂを備える。発光部ＳＳ１−ａは、ＬＥＤ等の発光素子で構成され、受光部ＳＳ１−ｂは、フォトトランジスタ等の受光素子で構成されて、共に制御部４５（図１）に接続されている。発光部ＳＳ１−ａは、原稿台１に積載される（または積載可能な最大幅の）原稿束Ｆの幅方向（シート幅方向）の一側よりも外側から光を照射可能な位置に配設され、受光部ＳＳ１−ｂは、原稿束Ｆの幅方向の他側よりも外側にて受光可能な位置に配設されている。
【００４２】
そして、発光部ＳＳ１−ａにより照射された光は、ピックアップローラ４の上流側近傍を通過して受光部ＳＳ１−ｂへと進む。また、発光部ＳＳ１−ａから照射される光の光路は、それぞれ原稿台１の原稿Ｆ１の積載面に対して略平行で、且つ原稿Ｆ１の給送方向に対して交差する。
【００４３】
なお、発光部ＳＳ１−ａから受光部ＳＳ１−ｂに至る光路上に導光部材等のように光の進行方向を変更する部材を設けた場合は、発光部ＳＳ１−ａ，受光部ＳＳ１−ｂの設置位置は原稿Ｆ１の給送方向に関してピックアップローラ４の設置位置でもよい。或いは発光部ＳＳ１−ａ，受光部ＳＳ１−ｂの設置位置は、原稿Ｆ１の給送方向に関して、ピックアップローラ４の下流側近傍でもよい。
【００４４】
原稿束Ｆのなかに、ステイプラ、クリップ、糊付け等によって束状に綴じられた原稿Ｆ１が誤って積載されていると、この原稿束も１枚ずつ分離して給送しようとする。そのときに、給送ローラ６によって給送される原稿束Ｆの最上位の原稿Ｆ１が綴じられた部分を中心に跳ね上がる。
【００４５】
原稿Ｆ１の跳ね上がった部分が光を遮ったことは、原稿異常検知センサＳＳ１に検知される。制御部４５は、原稿異常検知センサＳＳ１からの信号により、ピックアップローラ駆動モータ５、給送モータ８、及び分離モータ９の回転を停止させる。
【００４６】
図４（ａ）はシート給送装置１０１の要部を示す斜視図、図４（ｂ）は図４（ａ）の側面から見た概略断面図である。
【００４７】
図４（ａ）及び図４（ｂ）に示すように、ピックアップローラ４をカバーするピックアップローラカバー３０が開閉可能に設けられている。ピックアップローラ４が給紙時の摩耗により摩擦力が弱まってきたときに、ピックアップローラカバー３０を開けてピックアップローラ４を交換する。
【００４８】
図６は、原稿台１上、もしくは原稿台１上に積載された原稿の上部に異物２４あるいは人の指２５が置かれている状態を示す。図６に例示する原稿異常検知センサＳＳ１は、複数のセンサで構成されており、発光部ＳＳ１−ａと受光部ＳＳ１−ｂは対の関係にある。なお、原稿異常検知センサＳＳ１は、一つの発光部ＳＳ１−ａと一つの受光部ＳＳ１−ｂで構成されていてもよい。
【００４９】
原稿台１上、もしくは原稿台１上に積載された原稿の上部に異物２４あるいは操作する人の指２５があった場合、発光部ＳＳ１−ａにより照射された光が遮断されてしまう。複数のセンサのうち、受光部ＳＳ１−ｂが一つでも受光していないと、制御部４５は、異物があると判断し、原稿台１の上昇動作時の場合は、駆動モータ２を停止させ、原稿台１の上昇を停止させる。
【００５０】
その後、所定時間以内に異物が取り除かれた場合は、制御部４５は、再び給紙開始位置までの原稿台１の上昇動作を開始するように駆動モータ２を制御する。また、制御部４５は、所定時間以上にわたり異物が取り除かれない場合は、上昇前に原稿台１が待機していた待機位置まで原稿台１を下降させるように駆動モータ２を制御する。さらに、制御部４５は、原稿台１の下降中や、下降後に異物が取り除かれた場合は、再び給紙開始位置までの原稿台１の上昇動作を開始するように駆動モータ２を制御する。
【００５１】
なお、発光部ＳＳ１−ａと受光部ＳＳ１−ｂの数は限定されるものではない。また、多数の発光部ＳＳ１−ａと受光部ＳＳ１−ｂを設けた場合は、いずれか一つまたは二つ以上の所定数の受光部ＳＳ１−ｂが受光していないとき、制御部４５は異物があると判断するようにしてもよい。
【００５２】
次に、原稿異常検知センサＳＳ１と原稿積載検知センサ１２を用いて、原稿台１に積載される原稿Ｆ１の有無を検知する方法について説明する。
【００５３】
本実施形態では、原稿積載検知センサ（シート検知手段）１２として、受光素子（シート検知用受光部）を用いる。原稿異常検知センサＳＳ１の発光部ＳＳ１−ａとしてＬＥＤを用いる場合、ＬＥＤは中心軸上の光量が最も大きく、中心軸から遠くなるにつれて光量も低下する。
【００５４】
図５は、本実施形態の原稿異常検知センサＳＳ１の発光部ＳＳ１−ａに使用するＬＥＤの指向特性を例示するグラフ図である。
【００５５】
図５に示すように、発光部ＳＳ１−ａに使用するＬＥＤは、中心軸から５°外れると、中心軸光量の９５％の光量が得られ（図中Ａ）、中心軸から１０°外れると８０％の光量が得られる（図中Ｂ）。
【００５６】
この特性を利用して、図４では、発光部ＳＳ１−ａの中心軸の延長線上に受光部ＳＳ１−ｂを配置し、発光部ＳＳ１−ａの中心軸から４°外れた位置に反射面３０ａを配置する。反射面３０ａは、ピックアップローラカバー３０に設けられ、ピックアップローラカバー３０には白色の部材を用いる。
【００５７】
ピックアップローラカバー３０に白色の部材を用いることにより、発光部ＳＳ１−ａの照射光を反射しやすくなり、反射部材としての機能を果たすことができる。従って、ピックアップローラカバー３０は、ピックアップローラ４の交換時に開閉するカバー部材としての機能と、原稿台１に積載される原稿Ｆ１の有無を検知するために用いる反射部材（光路変更部材）としての機能とを併せ持つことになる。
【００５８】
反射面３０ａで反射した反射光は、原稿台１の積載面に設置された導光体３１を通過して原稿台１の下部に設置された原稿積載検知センサ１２へ入射する。  ピックアップローラカバー３０の反射面３０ａと原稿積載検知センサ１２との間に形成される光路は、原稿台１の積載面に対して略垂直となっているため、原稿台１を昇降動作させてもこの光路は原稿台１に遮られることはない。そのため、図１０（ｂ）に示したものと同様な原稿のたわみが起こって、原稿台部導光体３１の上部と積載される原稿Ｆ１との間に隙間が空いたとしても、原稿Ｆ１が光路を遮光するか否かを確実に判定できるので、原稿Ｆ１の有無を検知することができる。
【００５９】
原稿積載検知センサ１２は、入射光を電圧に変換する。制御部４５は、原稿積載検知センサ１２により変換された入射光の電圧を検知する。そして、制御部４５は、検知した電圧値が閾値を超えると、原稿Ｆ１が原稿台１に積載されていると判断し、検知した電圧値が閾値以下であれば、原稿Ｆ１が原稿台１に積載されていないと判断する。なお、光が遮られた時、原稿積載検知センサ１２の電圧値が上がるように変更し、上記判断を逆に変更してもよい。
【００６０】
閾値は、発光部ＳＳ１−ａの発光素子及び原稿積載検知センサ１２の受光素子の個体差や外乱光の影響を受けず、さらに光が透過しやすい薄紙でも検知できるような電圧値を設定する。なお、閾値を、原稿異常搬送の検知動作を行う時と、積載原稿の検知動作を行う時とで異なる値にしてもよい。
【００６１】
原稿Ｆ１が原稿台１に積載されていないと判断すると、制御部４５は、給紙動作を停止させる。給紙動作を停止することで、ピックアップローラ４と原稿台１の表面が擦れ、ピックアップローラ４の表面が摩耗して原稿搬送力が低下することを防ぐ。また、擦れてゴミが発生することで、そのゴミが装置内に入り込んで装置内の各部材に付着し、搬送不良等を起こすことを防ぐことができる。
【００６２】
原稿異常搬送検知時の受光部ＳＳ１−ｂの受光量と、原稿積載検知時の原稿積載検知センサ１２の受光素子への受光量とは異なり、発光部ＳＳ１−ａの照射光が直接入射する受光部ＳＳ１−ｂの方が受光量は多くなる。そこで、原稿積載検知センサ１２の受光素子が光電変換して出力した信号を増幅する利得を受光部ＳＳ１−ｂが光電変換して出力した信号を増幅する利得よりも大きくすることで、原稿異常搬送検知時も原稿積載検知時も適切に原稿を検知することができる。なお、原稿異常搬送検知時と原稿積載検知時とで発光部ＳＳ１−ａの発光量を変えてもよい。
【００６３】
原稿異常検知センサＳＳ１の発光部ＳＳ１−ａは、原稿台１に原稿が積載され、制御部４５から給紙スタートの指示が送られるまでの間は、原稿積載検知センサ１２の受光素子とともに、原稿台１への原稿積載を検知する手段として動作する。また、原稿の積載を検知して、制御部４５に給紙スタートの指示が送られ、給紙動作が開始されると、発光部ＳＳ１−ａは受光部ＳＳ１−ｂとともに、原稿異常搬送検知手段として動作する。
【００６４】
ところで、ピックアップローラカバー３０を反射部材として兼用する場合、白色の部材が使えれば反射光は十分な光量を確保できるが、反射率の低い部材を使わざるを得ない場合には、反射光の光量が不足し、正確に原稿の有無を検知できない可能性がある。その場合には、導光体を用いてもよい。また、反射率の高い反射部材をピックアップローラカバーまたはその近傍の位置に取り付けてもよい。
【００６５】
図７に、ピックアップローラカバー３０に導光体３２を設けた例を示す。図４（ａ）との違いは、ピックアップローラカバー３０に、反射面３０ａに代えて、発光部ＳＳ１−ａから照射された光を屈折等により原稿台１に設置された導光体３１に導く導光体（光路変更部材）３２を用いているのみである。導光体の形状は図示のもの以外に細長い棒状等でもよい。反射部材に代えて導光体３２を用いることにより、導光体３１に導かれる光量が多くなり、より正確に原稿の有無を検知できる。
【００６６】
原稿異常検知センサＳＳ１の発光部ＳＳ１−ａからピックアップローラカバー３０の反射面３０ａ又は導光体３２に十分な光量を照射するためには、発光部ＳＳ１−ａの発光素子の中心軸とピックアップローラカバー３０の反射部材との角度を可能な限り小さくしなければならない。
【００６７】
反射面３０ａ又は導光体３２に十分な光量を照射しつつ、原稿異常検知センサＳＳ１の受光部ＳＳ１−ｂにも十分な光量を照射するために、ピックアップローラカバー３０に発光部ＳＳ１−ａからの照射光を受光部ＳＳ１−ｂへ導く導光体を設けても良い。即ち、発光部ＳＳ１−ａをより反射面３０ａ又は導光体３２に向けて設置できる。こうすることにより、発光部ＳＳ１−ａは、原稿異常検知時には、受光部ＳＳ１−ｂに十分な光量を照射することができ、原稿積載検知時には、ピックアップローラカバー３０の反射面３０ａ又は導光体３２にも十分な光量を照射することができる。
【００６８】
以上説明したように、本実施形態では、原稿の跳ね上がりを検知するための原稿異常検知センサＳＳ１の発光部ＳＳ１−ａからの照射光を原稿台１の下部に設置された原稿積載検知センサ１２で受光することで、原稿台１の原稿の有無を検知する。
【００６９】
これにより、原稿積載検知センサ１２を受光部のみで構成することができ、原稿に非接触の安価なシート検知手段を用いて原稿台１に原稿が積載されているか否かを精度良く検知することができる。
【００７０】
また、本実施形態では、原稿異常検知センサの発光部を、原稿台１に積載された異物や、人の手などを検知する異物検知センサの発光部としても併用している。
【００７１】
これにより、異物や人の手が原稿台１に置かれたことを検知し、原稿台１の上昇動作を止めることで、原稿台１とピックアップローラ４との間に異物等が挟まれることを防ぐことができる。
【００７２】
また、原稿台１の積載面に導光体３１を配置し、ピックアップローラカバー３０に設けた反射面３０ａ（又は導光体３２）で反射（又は屈折）した光を原稿台１の下部に設置した原稿積載検知センサ１２に導くようにしている。
【００７３】
これにより、原稿積載検知センサ１２を原稿台１が昇降しても移動しないように配置することができ、原稿積載検知センサ１２への電気配線を固定して、電気配線の耐久性を向上させることができる。
【００７４】
（第２の実施形態）
次に、図８を参照して、本発明の第２の実施形態であるシート給送装置を備える画像読取装置について説明する。図８（ａ）はシート給送装置１０１の要部を示す斜視図、図８（ｂ）は図８（ａ）の側面から見た概略断面図である。
【００７５】
なお、本実施形態の画像読取装置の基本構成は上記第１の実施形態と同様であるため、相違点についてのみ説明し、また、上記第１の実施形態に対して重複する部分については、図に同一符号を付して説明する。
【００７６】
本実施形態では、図８に示すように、原稿異常検知センサＳＳ１の発光部ＳＳ１−ａと受光部ＳＳ１−ｂとの配置が上記第１の実施形態と逆になっている。即ち、図８（ａ）において、発光部ＳＳ１−ａが原稿台１の幅方向の左側に配置され、受光部ＳＳ１−ｂが原稿台１の幅方向の右側に配置されている。また、原稿台１の下部に配置される原稿積載検知センサ１２には、発光素子（シート検知用発光部）が用いられている。
【００７７】
図８（ａ）及び図８（ｂ）に示すように、原稿積載検知センサ１２は、発光素子から原稿台１に対して垂直方向に光を照射する。原稿積載検知センサ１２から照射された光は、原稿台１に設置された導光体３１を通り、ピックアップローラカバー３０に設けられた反射面３０ａ（又は導光体）に入射する。
【００７８】
ピックアップローラカバー３０に設けられた反射面３０ａ（又は導光体）は、原稿積載検知センサ１２からの照射光を原稿異常検知センサＳＳ１の受光部ＳＳ１−ｂに入射させるように設けられている。原稿積載の検知時に、原稿異常検知センサＳＳ１の発光部ＳＳ１−ａは消灯しておく。
【００７９】
そして、制御部４５は、受光部ＳＳ１−ｂに入射した光量に応じて、原稿台１に原稿が積載されているか否かを検知する。即ち、制御部４５は、入射光を検知できた場合は原稿台１に原稿が積載されていないと判断し、入射光を検知できない場合は原稿台１に原稿が積載されていると判断する。
【００８０】
以上説明したように、本実施形態では、原稿台１の下部に設置された原稿積載検知センサ１２から照射した光を原稿の跳ね上がりを検知するための原稿異常検知センサＳＳ１の受光部ＳＳ１−ｂに入射させることで、原稿台１の原稿の有無を検知する。
【００８１】
これにより、原稿積載検知センサ１２を受光部より比較的安価である発光部のみで構成することができ、より安価なシート検知手段を用いて原稿台１に原稿が積載されているか否かを検知することができる。その他の構成及び作用効果は、上記第１の実施形態と同様である。
【００８２】
なお、本発明は、上記各実施形態に例示したものに限定されるものではなく、本発明の要旨を逸脱しない範囲において適宜変更可能である。
【００８３】
上記各実施形態において、発光部と受光部の設置位置は、原稿台に積載可能な最大サイズの原稿よりも外側であれば十分である。また、上記実施形態では、画像読取装置に本発明のシート給送装置を搭載した場合を例示したが、これに限定されず、複写機、ファクシミリおよびプリンタなどの画像形成装置やその他の装置に本発明のシート給送装置を搭載するようにしてもよい。
【図面の簡単な説明】
【００８４】
【図１】本発明の第１の実施形態であるシート給送装置を備える画像読取装置の概略断面図である。
【図２】図１に示す画像読取装置の要部を示す概略断面図である。
【図３】原稿異常検知センサ、ピックアップローラ、及び原稿台に積載される原稿束Ｆの位置関係を示す斜視図である。
【図４】（ａ）はシート給送装置の要部を示す斜視図、（ｂ）は（ａ）の側面から見た概略断面図である。
【図５】原稿異常検知センサの発光部に使用するＬＥＤの指向特性を示すグラフ図である。
【図６】原稿異常検知センサを原稿台上に積載された異物を検知するセンサとして使用した場合を説明するための斜視図である。
【図７】ピックアップローラカバーに導光体を設けた例を説明するための斜視図である。
【図８】本発明の第２の実施形態であるシート給送装置を備える画像読取装置を説明するための図であり、（ａ）はシート給送装置の要部を示す斜視図、（ｂ）は（ａ）の側面から見た概略断面図である。
【図９】機械式レバーを用いてフォトセンサを遮光することにより積載部上のシートを検知する従来のシート検知手段を示す断面図である。
【図１０】発光素子と受光素子とが一体となった反射型光学検知素子を用いて積載部上のシートを検知する従来のシート検知手段を示す断面図である。
【符号の説明】
【００８５】
１  原稿台
２  駆動モータ
３  原稿圧接検知センサ
４  ピックアップローラ
５  駆動モータ
６  給送ローラ
７  分離ローラ
８  給送モータ
９  分離モータ
１０  搬送モータ
１１  ニップ隙間調整モータ
１２  原稿積載検知センサ
１４，１５  読取センサ
１６  排出センサ
１７，１８  レジストローラ
１９  レジストクラッチ
２０，２１，２２，２３  搬送ローラ
３０  ピックアップローラカバー
３０ａ  反射面
３１  導光体
３２  導光体
４０  上ガイド板
４１  下ガイド板
４２  分離給送ローラ対
４３  読取部
４４  排出積載部
４５  制御部
５０  原稿規制板
１０１  シート給送装置
２００  画像読取装置
ＳＳ１  原稿異常検知センサ
ＳＳ１−ａ  発光部
ＳＳ１−ｂ  受光部
【図１】
0005215044.tif 000002
【図２】
0005215044.tif 000003
【図３】
0005215044.tif 000004
【図４】
0005215044.tif 000005
【図５】
0005215044.tif 000006
【図６】
0005215044.tif 000007
【図７】
0005215044.tif 000008
【図８】
0005215044.tif 000009
【図９】
0005215044.tif 000010
【図１０】
0005215044.tif 000011